【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
１フレームを複数に分割した各単位エリア毎に処理された原画像を記憶する工程と、
設定された横拡大倍率に従って、前記原画像の前記各単位エリア中の所定の画素間の補間画素にデータを補間して、前記原画像の少なくとも水平方向のサイズを拡大して変更する工程と、
を有し、
前記原画像の前記各単位エリアは、前記１フレームの水平方向で隣接する２つの前記単位エリア間の垂直仮想境界線に沿って配列された複数の第１の境界画素を含み、
前記画像サイズ変更工程では、前記複数の第１の境界画素を含まない画素間に前記補間画素を設定することを特徴とする画像サイズの変更方法。
【請求項２】
請求項１において、
前記原画像の前記各単位エリアは、前記１フレームの垂直方向で隣接する２つの前記単位エリア間の水平仮想境界線に沿って配列された複数の第２の境界画素を含み、
前記画像サイズ変更工程は、設定された縦拡大倍率に従って、前記複数の第２の境界画素を含まない画素間に前記補間画素を設定して、前記原画像の垂直方向のサイズを拡大する工程をさらに含むことを特徴とする画像サイズの変更方法。
【請求項３】
請求項１または２において、
前記画像サイズ変更工程は、設定された横縮小倍率に従って、前記原画像の前記各単位エリア中の前記複数の第１の境界画素以外の間引き画素のデータを間引いて、前記原画像の水平方向のサイズを縮小して変更する工程をさらに含むことを特徴とする画像サイズの変更方法。
【請求項４】
請求項１において、
前記原画像の前記各単位エリアは、前記１フレームの垂直方向で隣接する２つの前記単位エリア間の水平仮想境界線に沿って配列された複数の第２の境界画素を含み、
前記画像サイズ変更工程は、設定された縦縮小倍率に従って、前記原画像の前記各単位エリア中の前記複数の第２の境界画素以外の間引き画素のデータを間引いて、前記原画像の垂直方向のサイズを縮小して変更する工程をさらに含むことを特徴とする画像サイズの変更方法。
【請求項５】
請求項１乃至４のいずれかにおいて、
前記原画像の処理履歴として、ＭＰＥＧ方式にて圧縮または伸張処理されていることを特徴とする画像サイズの変更方法。
【請求項６】
請求項５において、
前記原画像は、離散コサイン変換または逆離散コサイン変換時に、８画素×８画素の大きさの１ブロック単位で処理されており、
前記単位エリアが前記１ブロックと一致することを特徴とする画像サイズの変更方法。
【請求項７】
請求項５において、
前記原画像は、動き補償または逆動き補償の処理時に、１６画素×１６画素の大きさの１マクロブロック単位で処理されており、
前記単位エリアが前記１マクロブロックと一致することを特徴とする画像サイズの変更方法。
【請求項８】
請求項１乃至７のいずれかにおいて、
前記データの補間を実施する工程は、前記補間画素のデータを、前記補間画素と隣接する複数画素の各データを用いて平均化する工程を含むことを特徴とする画像サイズの変更方法。
【請求項９】
請求項３または４において、
前記データの間引きを実施する工程は、前記間引き画素に隣接する画素であって、前記複数の第１または第２の境界画素以外のデータを、前記間引画素のデータを用いて平均化する工程を含むことを特徴とする画像サイズの変更方法。
【請求項１０】
請求項８または９において、
前記原画像は、ＹＵＶ成分から成るカラー画像であり、
前記平均化工程は、Ｙ成分についてのみ実施されることを特徴とする画像サイズの変更方法。
【請求項１１】
１フレームを複数に分割した各単位エリア毎に処理された原画像を記憶する記憶手段と、
設定された横拡大倍率に従って、前記記憶手段からの前記原画像の前記各単位エリア中の所定の画素間の補間画素にデータを補間して、前記原画像の少なくとも水平方向のサイズを拡大して変更する画像サイズ変更手段と、
を有し、
前記原画像の前記各単位エリアは、前記１フレームの水平方向で隣接する２つの前記単位エリア間の垂直仮想境界線に沿って配列された複数の第１の境界画素を含み、
前記画像サイズ変更手段は、前記複数の第１の境界画素を含まない画素間に前記補間画素を設定することを特徴とする画像サイズの変更装置。
【請求項１２】
請求項１１において、
前記原画像の前記各単位エリアは、前記１フレームの垂直方向で隣接する２つの前記単位エリア間の水平仮想境界線に沿って配列された複数の第２の境界画素を含み、
前記画像サイズ変更手段は、設定された縦拡大倍率に従って、前記複数の第２の境界画素を含まない画素間に前記補間画素を設定して、前記原画像の垂直方向のサイズを拡大することを特徴とする画像サイズの変更装置。
【請求項１３】
請求項１２において、
前記画像サイズ変更手段は、設定された横縮小倍率に従って、前記原画像の前記各単位エリア中の前記複数の第１の境界画素以外の間引き画素のデータを間引いて、前記原画像の水平方向のサイズを縮小して変更することを特徴とする画像サイズの変更装置。
【請求項１４】
請求項１３において、
前記画像サイズ変更手段は、設定された縦縮小倍率に従って、前記原画像の前記各単位エリア中の前記複数の第２の境界画素以外の間引き画素のデータを間引いて、前記原画像の垂直方向のサイズを縮小して変更することを特徴とする画像サイズの変更装置。
【請求項１５】
請求項１４において、
前記画像サイズ変更手段は、
前記水平方向にて前記画像サイズを変更する水平方向変更手段と、
前記垂直方向にて前記画像サイズを変更する垂直方向変更手段と、
を有し、
前記水平及び垂直方向変更手段の少なくとも一方は、
前記水平または垂直方向でｎ（ｎは自然数）番目の画素のデータが入力される第１のバッファと、
前記水平または垂直方向で（ｎ＋１）番目の画素のデータが入力される第２のバッファと、
前記ｎ番目及び（ｎ＋１）番目の各画素のデータを平均化する演算部と、
前記演算部の出力が入力される第３のバッファと、
前記第１〜第３のバッファの出力のいずれか一つを選択するセレクタと、
を有することを特徴とする画像サイズの変更装置。
【請求項１６】
請求項１５において、
拡大倍率の時には、前記セレクタは、前記補間画素に対して、前記第３のバッファの出力を選択して出力することを特徴とする画像サイズの変更装置。
【請求項１７】
請求項１４または１５において、
縮小倍率の時には、前記セレクタは、前記間引き画素に隣接する画素に対して、前記第３の水平バッファの出力を選択して出力することを特徴とする画像サイズの変更装置。
【手続補正２】
【補正対象書類名】明細書
【補正対象項目名】００２２
【補正方法】変更
【補正の内容】
【００２２】
（携帯電話機の概要）
図１は、本発明が適用される電子機器の一例である携帯電話機のブロック図である。図１において、この携帯電話機１０は、通信機能部２０と付加機能部３０とに大別される。通信機能部２０は、アンテナ２１にて送受信される信号（圧縮動画像を含む）を処理する公知の各種ブロックを有する。通信機能部２０の全ブロックの説明は省略するが、ベースバンドＬＳＩ２２は、主として音声などを処理するプロセッサであり、携帯電話１０には必ず搭載されている。このベースバンドＬＳＩ２２には、ベースバンドエンジン（ＢＢＥ）やアプリーションプロセッサ等が搭載されている。これらのプロセッサ上のソフトウェアにより、図２（Ａ）に示すＭＰＥＧ４の圧縮（エンコード）処理のうち、可変長符号（ＶＬＣ：Variable Length Code）への符号化（Encode）、スキャン（Scan）、AＣＤＣ（交流・直流成分）予測及びレートコントロール（Rate Control）が実施されるようになっている。さらに、ベースバンドＬＳＩ２２に搭載されたプロセッサ上のソフトウェアにより、図２（Ｂ）に示すＭＰＥＧ４の伸張（デコード）処理のうち、可変長符号（ＶＬＣ）の復号（Decode）、逆スキャン（Reverse Scan）及び逆ＡＣＤＣ（交流・直流成分）予測が実施されるようになっている。ＭＰＥＧ４のデコード及びエンコードの他の処理については、付加機能部３０に設けられたハードウェアにて実施される。
【手続補正３】
【補正対象書類名】明細書
【補正対象項目名】００２６
【補正方法】変更
【補正の内容】
【００２６】
次に、離散コサイン変換（ＤＣＴ：Discrete Cosine Transform）が実施される（ステップ２）。この離散コサイン変換（ＤＣＴ）は、図３に示す８画素×８画素の１ブロック単位にて演算され、１ブロック毎にＤＣＴ係数を求めるものである。離散コサイン変換後のＤＣＴ係数は、１ブロック内の画像の濃淡変化を、全体の明るさ（ＤＣ成分）と空間周波数（ＡＣ成分）とで表わしたものである。図４は、８×８画素の１ブロック内のＤＣＴ係数の一例を示している（上述の図書の第１１６頁の図５−６を引用）。その左上隅のＤＣＴ係数がＤＣ成分を示し、それ以外のＤＣＴ係数がＡＣ成分を示す。なお、ＡＣ成分のうち、高周波成分を省略しても画像認識への影響が少ない。
【手続補正４】
【補正対象書類名】明細書
【補正対象項目名】００４８
【補正方法】変更
【補正の内容】
【００４８】
図１０及び図１１は、図８及び図９にさらに、データ平均化の手法を取り入れた時の拡大・縮小動作を示している。図１０では、補間画素１００Ａ〜１００Ｄが、その前後の画素を平均化したデータとされている。
【手続補正５】
【補正対象書類名】図面
【補正対象項目名】図２
【補正方法】変更
【補正の内容】
【図２】
2004354593.tif 000001